(57)【要約】【課題】ＶＬＡＮごとに異なる設定を行う場合であっても、管理メッセージを削減することが可能な通信装置を提供する。【解決手段】通信装置２００は、通信ポート２０１と、通信ポート２０１に割り当てられた仮想ネットワークに応じて通信するための管理情報を、仮想ネットワークを識別する識別情報ごとに記憶する記憶部２０３と、管理情報を更新する複数の仮想ネットワークのそれぞれを識別する複数の識別情報を受信し、記憶部２０３に記憶された管理情報のうち、受信した複数の識別情報のそれぞれに対応する複数の管理情報を更新する制御部２０４とを有する。【選択図】図１
2015090665.tif 000002
【特許請求の範囲】
【請求項１】
通信ポートと、
前記通信ポートに割り当てられた仮想ネットワークに応じて通信するための管理情報を、前記仮想ネットワークを識別する識別情報ごとに記憶する記憶部と、
前記管理情報を更新する複数の仮想ネットワークのそれぞれを識別する複数の識別情報を受信し、前記記憶部に記憶された管理情報のうち、前記受信した複数の識別情報のそれぞれに対応する複数の管理情報を更新する制御部と、を有する通信装置。
【請求項２】
請求項１に記載の通信装置において、
前記制御部は、前記管理情報を更新する条件をさらに受信し、当該条件と前記識別情報とを受信した後、前記更新の開始を指示する開始指示を受信すると、前記条件に従って前記管理情報の更新を開始する、通信装置。
【請求項３】
請求項１または２に記載の通信装置と接続可能な管理装置であって、
前記管理装置は、
前記管理情報を更新する複数の仮想ネットワークのそれぞれを識別する複数の識別情報を前記通信装置に送信する管理部を備える、管理装置。
【請求項４】
通信ポートに割り当てられた仮想ネットワークを用いて通信するための管理情報を、前記仮想ネットワークを識別する識別情報ごとに記憶し、
前記管理情報を更新する複数の仮想ネットワークのそれぞれを識別する複数の識別情報を受信し、
前記記憶された管理情報のうち、前記受信した複数の識別情報のそれぞれに対応する複数の管理情報を更新する、通信装置の制御方法。
【請求項５】
通信ポートと接続されたコンピュータを、
前記通信ポートに割り当てられた仮想ネットワークに応じて通信するための管理情報を、前記仮想ネットワークを識別する識別情報ごとに記憶する記憶部と、
前記管理情報を更新する複数の仮想ネットワークのそれぞれを識別する複数の識別情報を受信し、前記記憶部に記憶された管理情報のうち、前記受信した複数の識別情報のそれぞれに対応する複数の管理情報を更新する制御部と、を有する通信装置として機能させるためのプログラム。
【発明の詳細な説明】
【技術分野】
【０００１】
本発明は、通信装置、管理装置、通信装置の制御方法、およびプログラムに関する。
【背景技術】
【０００２】
近年、ＳＮＭＰ（Ｓｉｍｐｌｅ  Ｎｅｔｗｏｒｋ  Ｍａｎａｇｅｍｅｎｔ  Ｐｒｏｔｏｃｏｌ）などの管理プロトコルを用いて、ネットワークに接続された通信装置を管理する技術が普及している。
【０００３】
ＳＮＭＰのような管理プロトコルに従って、管理装置から管理対象となる通信装置を監視および制御する技術では、通常、通信装置は、管理装置に対して公開する管理情報を記憶するデータベースを有している。データベースに記憶される管理情報には、自装置に設定されたパラメータを示す設定情報や、自装置の状態を示す運用情報が含まれる。そして、管理装置は、管理プロトコルに従った管理メッセージを用いてデータベースにアクセスし、通信装置を監視するために管理情報を取得したり、システムの状態に合わせて管理情報を変更したりすることが可能である。
【０００４】
通信装置のポートに割り当てられたＶＬＡＮ（Ｖｉｒｔｕａｌ  Ｌｏｃａｌ  Ａｒｅａ  Ｎｅｔｗｏｒｋ）の状態を、管理プロトコルを用いて監視および制御する場合、管理情報として、各ポートに割り当てられたＶＬＡＮを示す設定情報や、各ポートに割り当てられたＶＬＡＮの状態を示す運用情報が記憶される。
【０００５】
ＳＮＭＰを用いたシステムでは、管理情報は、ＭＩＢ（Ｍａｎａｇｅｍｅｎｔ  Ｉｎｆｏｒｍａｔｉｏｎ  Ｂａｓｅ）と呼ばれるデータベースに記憶される。ＲＦＣ（Ｒｅｑｕｅｓｔ  ｆｏｒ  Ｃｏｍｍｅｎｔｓ）２６７４等で規定された標準ＭＩＢでは、ＶＬＡＮの管理情報は、ＶＬＡＮを識別するＶＬＡＮＩＤごとに管理されている。この場合、管理装置は、ＶＬＡＮの管理情報の取得および変更などのために、ＶＬＡＮごとに管理メッセージを送信する必要があるので、各ポートに割り当てられるＶＬＡＮの数が増えると、送信される管理メッセージの数が増大する。
【０００６】
図３は、管理装置８００が通信装置９００のＶＬＡＮの状態を標準ＭＩＢを用いて監視および制御する場合に、通信装置のポートに複数のＶＬＡＮを割り当てる動作を説明するためのシーケンス図である。
【０００７】
ポートに対して新たなＶＬＡＮを割り当てる場合、管理装置８００は、ＶＬＡＮの割り当てを要求する管理メッセージ（ＳｅｔＲｅｑｕｅｓｔ）を通信装置９００に送信する（ステップＳ９０１）。管理メッセージを受信した通信装置９００のＳＮＭＰ処理部９０１は、ＳＮＭＰのＰＤＵ（Ｐｒｏｔｏｃｏｌ  Ｄａｔａ  Ｕｎｉｔ）解析処理を行い、解析結果として、管理メッセージに含まれるＶＬＡＮＩＤと、ポート番号と、このＶＬＡＮＩＤのにより特定されるＶＬＡＮに関する処理内容とを取得する（ステップＳ９０２）。ＳＮＭＰ処理部９０１は、解析結果に基づいて、ＭＩＢ処理部９０２にＭＩＢデータ処理要求として、ポートへのＶＬＡＮの割当を要求し、ポート番号およびＶＬＡＮＩＤを送信する（ステップＳ９０３）。
【０００８】
ＭＩＢ処理部９０２は、ＭＩＢデータ処理要求を受信すると、ＭＩＢデータベースを更新して、ＶＬＡＮをポートに対して割り当てる（ステップＳ９０４）。ＭＩＢ処理部９０２は、ＭＩＢデータベースの更新が終わると、更新が終わった旨を示すＭＩＢデータ処理応答をＳＮＭＰ処理部９０１に送信する（ステップＳ９０５）。
【０００９】
ＭＩＢデータ処理応答を受信すると、ＳＮＭＰ処理部９０１は、ＳＮＭＰ  ＰＤＵ作成処理を行い、ＳｅｔＲｅｑｕｅｓｔにて要求されたＶＬＡＮの割り当てが終了したことを示す管理メッセージ（Ｒｅｓｐｏｎｓｅ）を作成する（ステップＳ９０６）。ＳＮＭＰ処理部９０１は、作成した管理メッセージを管理装置８００に送信する（ステップＳ９０７）。
【００１０】
以上説明したステップＳ９０１からステップＳ９０７に示すＶＬＡＮ割り当て動作により、ひとつのＶＬＡＮＩＤについて、ポートに対するＶＬＡＮの割り当てを行うことができる。複数のＶＬＡＮをポートに割り当てる場合、割り当てるＶＬＡＮの数だけステップＳ９０１からステップＳ９０７の処理を繰り返す（ステップ９０８）。例えば、４０９４個のＶＬＡＮを１つのポートに割り当てる場合、管理装置８００および通信装置９００は、ステップＳ９０１からステップＳ９０７の処理を４０９４回繰り返す。この場合、管理装置８００から通信装置９００に対する管理メッセージ（ＳｅｔＲｅｑｕｅｓｔ）、および通信装置９００から管理装置８００に対する管理メッセージ（Ｒｅｓｐｏｎｓｅ）は、それぞれ４０９４回送受信される。
【００１１】
このように、ＶＬＡＮの管理に伴う管理メッセージの数が増大すると、管理メッセージを送受信する管理ネットワークの通信量が増加して、他の管理メッセージの送受信に遅延が生じる場合がある。
【００１２】
特許文献１には、管理メッセージの数を削減するために、ＶＬＡＮの管理情報をポートと対応づけることにより、管理情報をポートごとに管理する技術が記載されている。特許文献１に記載の技術では、ＶＬＡＮの状態を取得する場合、管理装置が対象のポートを指定する１つの管理メッセージを送信すると、管理メッセージを受信した通信装置は、指定されたポートに設定された全てのＶＬＡＮの管理情報を取得する。これにより、通信装置の物理的なポート数よりもＶＬＡＮ数の方が多い場合、管理メッセージの数を削減することができる。また、特許文献１には、ＶＬＡＮの設定を行う場合、管理メッセージを受信した通信装置は、指定されたポートに設定されたＶＬＡＮの管理情報の取得に加えて、さらにその管理情報を更新することが記載されている。
【先行技術文献】
【特許文献】
【００１３】
【特許文献１】国際公開第２０１３／０４７３５５号公報
【発明の概要】
【発明が解決しようとする課題】
【００１４】
しかしながら、特許文献１に記載の技術は、管理装置が全てのＶＬＡＮの状態を取得する際の管理メッセージを削減することを主目的としているため、ＶＬＡＮの設定を行う場合には、改善の余地がある。
【００１５】
具体的には、特許文献１に記載の技術では、ポートごとに、そのポートに設定された全てのＶＬＡＮに関する設定情報を取得し、その設定情報を更新する。このため、既にポートに割り当てられた全てのＶＬＡＮに同一の設定を行うことしかできず、例えば、ポートを新たなＶＬＡＮに割り当てたり、ＶＬＡＮごとに異なる設定を行うことができない。
【００１６】
本発明の目的は、ＶＬＡＮごとに異なる設定を行う場合であっても、管理メッセージを削減することが可能な通信装置、通信方法、およびプログラムを提供することである。
【課題を解決するための手段】
【００１７】
本発明による通信装置は、
通信ポートと、
前記通信ポートに割り当てられた仮想ネットワークに応じて通信するための管理情報を、前記仮想ネットワークを識別する識別情報ごとに記憶する記憶部と、
前記管理情報を更新する複数の仮想ネットワークのそれぞれを識別する複数の識別情報を受信し、前記記憶部に記憶された管理情報のうち、前記受信した複数の識別情報のそれぞれに対応する複数の管理情報を更新する制御部と、を有する。
【００１８】
また、本発明による通信装置の制御方法は、
通信ポートに割り当てられた仮想ネットワークを用いて通信するための管理情報を、前記仮想ネットワークを識別する識別情報ごとに記憶し、
前記管理情報を更新する複数の仮想ネットワークのそれぞれを識別する複数の識別情報を受信し、
前記記憶された管理情報のうち、前記受信した複数の識別情報のそれぞれに対応する複数の管理情報を更新する。
【００１９】
また、本発明によるプログラムは、
コンピュータを、
通信ポートと、
前記通信ポートに割り当てられた仮想ネットワークに応じて通信するための管理情報を、前記仮想ネットワークを識別する識別情報ごとに記憶する記憶部と、
前記管理情報を更新する複数の仮想ネットワークのそれぞれを識別する複数の識別情報を受信し、前記記憶部に記憶された管理情報のうち、前記受信した複数の識別情報のそれぞれに対応する複数の管理情報を更新する制御部と、を有する通信装置として機能させる。
【発明の効果】
【００２０】
本発明によれば、ＶＬＡＮごとに異なる設定を行う場合であっても、管理メッセージを削減することが可能である。
【図面の簡単な説明】
【００２１】
【図１】本発明の一実施形態にかかる管理システムの構成を示すブロック図である。
【図２】本発明の一実施形態にかかる管理システムの動作を説明するためのシーケンス図である。
【図３】本発明の比較例にかかる管理システムの動作を説明するためのシーケンス図である。
【発明を実施するための形態】
【００２２】
以下、本発明の実施形態について添付の図面を参照して説明する。なお、本明細書および図面において、同一の機能を有する構成要素については同じ符号を付することにより重複説明を省略する場合がある。
【００２３】
図１は、本発明の一実施形態にかかる管理システム１０の構成を示すブロック図である。
【００２４】
管理システム１０は、管理装置１００と、通信装置２００とを含み、管理装置１００および通信装置２００は、管理ネットワーク３００を介して接続される。
【００２５】
管理装置１００は、通信装置２００を管理する情報処理装置であり、通信装置２００の監視および制御を行う管理部２０１を有する。管理装置１００は、例えば、ＰＣ（Ｐｅｒｓｏｎａｌ  Ｃｏｍｐｕｔｅｒ）やサーバ装置などの情報処理装置である。なお、図１では、管理システム１０は、１つの通信装置２００を含んでいるが、実際には、複数の通信装置２００を含み、１つの管理装置１００を用いて、複数の通信装置２００を管理していてもよい。
【００２６】
管理部１０１は、ＳＮＭＰのマネージャ（ＮＭＳ：Ｎｅｔｗｏｒｋ  Ｍａｎａｇｅｍｅｎｔ  Ｓｙｓｔｅｍ）の機能を有し、ＳＮＭＰに従って、ＧｅｔＲｅｑｕｅｓｔ、ＳｅｔＲｅｑｕｅｓｔ、またはＧｅｔＮｅｘｔＲｅｑｕｅｓｔなどのＰＤＵを通信装置２００に送信する。また、管理部１０１は、ＧｅｔＲｅｓｐｏｎｓｅなどのＰＤＵを通信装置２００から受信する。管理部１０１が通信装置２００との間で送受信するＰＤＵは、管理メッセージとも呼ばれる。
【００２７】
管理部１０１は、拡張ＭＩＢを使用することによって、特定の処理を複数のＶＬＡＮに対して繰り返し行う繰り返し条件を定義する管理メッセージを通信装置２００に送信することができる。拡張ＭＩＢは、５つのＭＩＢテーブルＭＩＢ＿Ａ、ＭＩＢ＿Ｂ、ＭＩＢ＿Ｃ、ＭＩＢ＿Ｄ、およびＭＩＢ＿Ｅから構成され、これらのＭＩＢテーブルを指定する管理メッセージにより、管理情報を更新することができる。
【００２８】
ＭＩＢテーブルＭＩＢ＿Ａは、管理情報を連続して更新するオブジェクトの種類を示すオブジェクトＩＤであり、ＭＩＢテーブルＭＩＢ＿Ｂは、ＭＩＢテーブルＭＩＢ＿Ａが示すオブジェクトのうち、連続して更新するオブジェクトを識別するインデックスの範囲である。また、ＭＩＢテーブルＭＩＢ＿Ｃは、ＭＩＢテーブルＭＩＢ＿Ａが示すオブジェクトと対応づけるオブジェクトの種類を示すオブジェクトＩＤであり、ＭＩＢテーブルＭＩＢ＿Ｄは、ＭＩＢテーブルＭＩＢ＿Ｃが示すオブジェクトを特定するパラメータの値である。また、ＭＩＢテーブルＭＩＢ＿Ｅは、管理情報の更新の開始を指示する開始指示であり、例えば開始を指示する場合、ＭＩＢ＿Ｅの値を「１」にすることにする。
【００２９】
例えば、通信装置２００のポート１にＶＬＡＮ１〜４０９４を割り当てる場合、各ＭＩＢテーブルの値は以下の通りとなる。
ＭＩＢ＿Ａ＝ｄｏｔ１ｑＶｌａｎＳｔａｔｉｃＮａｍｅ
ＭＩＢ＿Ｂ＝１−４０９４
ＭＩＢ＿Ｃ＝ｄｏｔ１ｑＶｌａｎＳｔａｔｉｃＥｇｒｅｓｓＰｏｒｔｓ
ＭＩＢ＿Ｄ＝１
ＭＩＢ＿Ｅ＝１
なお、ＭＩＢオブジェクトＭＩＢ＿Ｂは、インデックス２から１００１とインデックス１０２５から４０９４とを指定する場合には、以下の通り記述することができる。
ＭＩＢ＿Ｂ＝２−１００１，１０２５−４０９４
また、管理部１０１は、ＭＩＢテーブルＭＩＢ＿ＡからＭＩＢ＿Ｅを、それぞれ１つの管理メッセージとして通信装置２００に送信する。このとき、ＭＩＢ＿ＡからＭＩＢ＿Ｄまでは、任意の順番で管理メッセージとして送信することができ、ＭＩＢテーブルＭＩＢ＿ＡからＭＩＢ＿Ｄまでが送信された後、ＭＩＢテーブルＭＩＢ＿Ｅを送信すると、ＭＩＢテーブルＭＩＢ＿ＡからＭＩＢ＿Ｄにより要求される処理が開始される。
【００３０】
通信装置２００は、例えばスイッチやルータなどのデータ中継装置であり、通信ポート２０１と、通信部２０２と、ＭＩＢ処理部２０３と、ＳＮＭＰ処理部２０４とを有する。
【００３１】
通信ポート２０１は、通信装置２００の通信インタフェースであり、通信ポート２０１には、仮想ネットワークであるＶＬＡＮが割り当てられる。なお、図１では、通信装置２００は、複数の通信ポート２０１を含むこととしたが、通信ポート２０１は、１つであってもよい。
【００３２】
通信部２０２は、各通信ポート２０１に割り当てられたＶＬＡＮに応じて、通信ポート２０１を介して受信したデータを中継する。具体的には、通信部２０２は、通信ポート２０１を介してデータを受信すると、受信したデータのヘッダ情報と、各通信ポート２０１に割り当てられたＶＬＡＮとに基づいて、受信したデータを転送する通信ポート２０１を決定し、決定した通信ポート２０１にデータを転送する。
【００３３】
ＭＩＢ処理部２０３は、通信装置２００に設定されたパラメータを示す設定情報と、通信装置２００の状態を示す運用情報とを含む管理情報を記憶するデータベースの機能と、当該データベースに記憶された管理情報を取得および更新する機能とを有する。具体的には、ＭＩＢ処理部２０３が記憶する管理情報は、通信ポート２０１に割り当てられたＶＬＡＮに応じて通信するための情報を含み、ＭＩＢ処理部２０３は、ＶＬＡＮを識別するＶＬＡＮ  ＩＤごとに、ＶＬＡＮと対応づけられた管理情報を記憶する。また、ＭＩＢ処理部２０３は、ＳＮＭＰ処理部２０４からの指示に従って、管理情報を取得したり、更新したりする。
【００３４】
ＳＮＭＰ処理部２０４は、ＳＮＭＰに従った各種の処理を実行する制御部であり、管理装置１００から管理ネットワーク３００を介して、特定の処理を要求する管理メッセージを受信すると、受信した管理メッセージを解析するＳＮＭＰ  ＰＤＵ解析処理を行い、管理メッセージにより要求された処理を行う。そしてＳＮＭＰ処理部２０４は、この処理が終わると、要求された処理が終わった旨を示す管理メッセージを作成するＳＮＭＰ  ＰＤＵ作成処理を行い、作成した管理メッセージを管理装置１００に送信する。
【００３５】
また、ＳＮＭＰ処理部２０４は、管理メッセージにより要求された処理が、ＭＩＢデータの取得または更新を伴う場合、ＭＩＢ処理部２０３にＭＩＢデータ処理要求を送信する。ＭＩＢデータ処理要求は、管理メッセージにより要求された処理の内容と、処理の対象とを示す情報を含む。例えば、管理メッセージによりＶＬＡＮのポートへの割り当てが要求された場合、ＭＩＢデータ処理要求は、管理メッセージにより要求された処理の内容を示す情報として、通信ポート２０１にＶＬＡＮを割り当てる旨を示す情報を含み、処理の対象を示す情報として、複数のＶＬＡＮＩＤを示す情報と、ポート番号とを含む。
【００３６】
図２は、管理システム１０の動作を説明するためのシーケンス図である。
【００３７】
なお、図２は、管理装置１００が通信装置２００のポート１に対して、複数のＶＬＡＮを割り当てることを要求した場合について示している。
【００３８】
まず、管理装置１００の管理部１０１は、ＭＩＢテーブルＭＩＢ＿ＡからＭＩＢ＿Ｄを含む管理メッセージＳｅｔＲｅｑｕｅｓｔ（ＭＩＢ＿Ａ〜ＭＩＢ＿Ｄ）を通信装置２００に送信する（ステップＳ１０１）。
【００３９】
管理メッセージを受信した通信装置２００のＳＮＭＰ処理部２０４は、受信した管理メッセージのＳＮＭＰ  ＰＤＵ解析処理を行い、解析結果として、管理メッセージに含まれるＶＬＡＮＩＤの範囲と、ポート番号と、このＶＬＡＮＩＤにより特定されるＶＬＡＮに関する処理内容（ＶＬＡＮの割り当て）とを取得する（ステップＳ１０２）。
【００４０】
ＳＮＭＰ処理部２０４は、解析結果に基づいて、ＳＮＭＰ  ＰＤＵ作成処理を行い、ＶＬＡＮＩＤの範囲と、ポート番号と、このＶＬＡＮＩＤにより特定されるＶＬＡＮに関する処理内容とを受け付けた旨を示す管理メッセージを作成する（ステップＳ１０３）。
【００４１】
ＳＮＭＰ処理部２０４は、作成した管理メッセージＳｅｔＲｅｓｐｏｎｓｅ（ＭＩＢ＿Ａ〜ＭＩＢ＿Ｄ）を管理装置１００に送信する（ステップＳ１０４）。
【００４２】
管理装置１００は、ＳＮＭＰ処理部２０４から管理メッセージＲｅｓｐｏｓｅ（ＭＩＢ＿Ａ〜ＭＩＢ＿Ｄ）を受信すると、続いて、ＶＬＡＮの割り当ての開始を要求する管理メッセージＳｅｔＲｅｑｕｅｓｔ（ＭＩＢ＿Ｅ）を通信装置２００に送信する（ステップＳ１０５）。
【００４３】
ＳＮＭＰ処理部２０４は、管理装置１００が送信した管理メッセージを受け付けると、ＳＮＭＰ  ＰＤＵ解析処理を行い、解析結果として、通信ポート２０１へのＶＬＡＮの割り当てを開始することを要求されている旨を取得する（ステップＳ１０６）。
【００４４】
そして、ＳＮＭＰ処理部２０４は、ステップＳ１０２のＰＤＵ解析処理により取得されたＶＬＡＮＩＤの範囲を示す情報で指定されたＶＬＡＮＩＤのうちの１つについて、ポートへのＶＬＡＮの割り当てを要求するＭＩＢデータ処理要求をＭＩＢ処理部２０３に送信する（ステップＳ１０７）。
【００４５】
ＭＩＢデータ処理要求を受信すると、ＭＩＢ処理部２０３は、ＭＩＢデータベースを更新して、ＭＩＢデータ処理要求に含まれるポート番号が示すポートにＶＬＡＮを割り当てる（ステップＳ１０８）。
【００４６】
ＶＬＡＮの割り当てが終わると、ＭＩＢ処理部２０３は、更新が終わった旨を示すＭＩＢデータ処理応答をＳＮＭＰ処理部２０４に送信する（ステップＳ１０９）。
【００４７】
そして、通信装置２００は、管理メッセージに示された各ＶＬＡＮについて、ステップＳ１０７からステップＳ１０９の処理を繰り返して管理情報を更新し、ポートに複数のＶＬＡＮを割り当てる（ステップＳ１１０）。
【００４８】
複数のＶＬＡＮの全てについて、管理情報の更新が終了すると、ＳＮＭＰ処理部２０４は、ＳＮＭＰ  ＰＤＵ作成処理を行い、ＳｅｔＲｅｑｕｅｓｔにて要求されたＶＬＡＮの割り当て処理が終わったことを示す管理メッセージＲｅｓｐｏｎｓｅ（ＭＩＢ＿Ｅ）を作成する（ステップＳ１１１）。ＳＮＭＰ処理部２０４は、作成した管理メッセージＲｅｓｐｏｎｓｅ（ＭＩＢ＿Ｅ）を管理装置１００に送信する（ステップＳ１１２）。
【００４９】
以上説明したように、本発明の一実施形態にかかる通信装置２００は、通信ポート２０１と、通信ポート２０１に割り当てられた仮想ネットワークであるＶＬＡＮを用いて通信するための管理情報を、ＶＬＡＮを識別する識別情報であるＶＬＡＮＩＤごとに記憶する記憶部であるＭＩＢ処理部２０３とを有する。また、通信装置２００は、管理情報を更新するＶＬＡＮを識別する複数のＶＬＡＮＩＤを受信し、ＭＩＢ処理部２０３に記憶された管理情報のうち、受信したＶＬＡＮＩＤのそれぞれに対応する複数の管理情報を更新するＳＮＭＰ処理部２０４を有する。これにより、受信した複数のＶＬＡＮＩＤにて識別されるＶＬＡＮの管理情報が更新されるので、対象のＶＬＡＮを特定して、管理情報を更新することができる。このため、ＶＬＡＮごとに異なる設定を行う場合であっても、管理メッセージを削減することが可能になる。
【００５０】
また、通信装置２００は、管理情報を更新する条件をさらに受信し、当該条件とＶＬＡＮＩＤとを受信した後、管理情報の更新の開始を指示する開始指示を受信すると、管理情報の更新を開始する。これにより、管理装置１００が、ＶＬＡＮＩＤや管理情報を更新する条件を通信装置２００に送信する順序が問われなくなるため、管理装置１００の操作が容易になり、さらに、管理情報の更新を開始するタイミングを管理装置１００を操作する者が調整することができるようになる。したがって、管理装置１００の操作ミスを低減することが可能になり、より確実に、管理メッセージを削減することが可能になる。
【００５１】
管理メッセージを削減することで、ＶＬＡＮの設定変更などに要する処理時間を短縮するとともに、管理ネットワーク３００に使用する通信帯域を削減することができる。また、ＶＬＡＮの設定変更に要する処理時間を短縮することで、ＣＰＵ（Ｃｅｎｔｒａｌ  Ｐｒｏｃｅｓｓｉｎｇ  Ｕｎｉｔ）使用率を削減することができ、通信装置２００の負荷を抑制することが可能になる。
【００５２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００５３】
１００    管理装置
１０１    管理部
２００    通信装置
２０１    通信ポート
２０２    通信部
２０３    ＭＩＢ処理部（記憶部）
２０４    ＳＮＭＰ処理部（制御部）
【図１】
2015090665.tif 000003
【図２】
2015090665.tif 000004
【図３】
2015090665.tif 000005